(57)【要約】【課題】複数のエネルギ生成設備の運転順位を決定する場合に、効率的なエネルギ生成を行うことが可能で、しかも地球の温暖化防止を推進することが可能な運転順位決定方法、運転順位決定装置及びコンピュータプログラムを提供する。【解決手段】発電機等の複数のエネルギ生成設備にて生成する電力等のエネルギの生成量及びエネルギ生成に伴い排出される二酸化炭素等の排出物の排出量の関係に基づいて、排出物の排出量が少なくなるように各エネルギ生成設備の運転順位を決定する。【選択図】        図３
2004304888.tif 000002
【特許請求の範囲】
【請求項１】
複数のエネルギ生成設備の運転順位を決定する運転順位決定装置を用いた運転順位決定方法において、
前記運転順位決定装置は、
エネルギの需要量を求め、
予め記録している前記各エネルギ設備のエネルギの生成量及びエネルギの生成に伴い排出される排出物の排出量の関係を抽出し、
求めたエネルギの需要量、並びに抽出したエネルギの生成量及び排出物の排出量の関係に基づいて前記エネルギ生成設備の運転順位を決定する
ことを特徴とする運転順位決定方法。
【請求項２】
複数のエネルギ生成設備の運転順位を決定する運転順位決定装置において、
エネルギの需要量を求める手段と、
予め記録している前記各エネルギ生成設備のエネルギの生成量及びエネルギの生成に伴い排出される排出物の排出量の関係を抽出する手段と、
求めたエネルギの需要量、並びに抽出したエネルギの生成量及び排出物の排出量の関係に基づいて前記エネルギ生成設備の運転順位を決定する手段と
を備えることを特徴とする運転順位決定装置。
【請求項３】
複数のエネルギ生成設備の運転順位を決定する運転順位決定装置において、
エネルギの需要量を求める手段と、
前記エネルギ生成設備について、求めた需要量のエネルギの生成に要する費用を算出する手段と、
予め記録している前記エネルギ生成設備のエネルギの生成量及びエネルギの生成に伴い排出される排出物の排出量の関係を抽出する手段と、
抽出したエネルギの生成量及び排出物の排出量の関係に基づいて、前記エネルギ生成設備の排出物の排出量を算出する手段と、
算出した排出量の排出物の処分に要する費用を算出する手段と、
算出したエネルギ生成に要する費用及び排出物の処分に要する費用の合計に基づいて前記エネルギ生成設備の運転順位を決定する手段と
を備えることを特徴とする運転順位決定装置。
【請求項４】
求めたエネルギの需要量を超えずにエネルギを生成することが可能な前記エネルギ生成設備を選択する手段を更に備え、
前記運転順位を決定する手段は、選択した前記エネルギ生成設備の運転順位を決定すべくなしてある
ことを特徴とする請求項２又は請求項３に記載の運転順位決定装置。
【請求項５】
前記運転順位を決定する手段は、運転順位と共に前記各エネルギ生成設備のエネルギ生成量を決定すべくなしてあることを特徴とする請求項２乃至請求項４のいずれかに記載の運転順位決定装置。
【請求項６】
前記排出物は二酸化炭素であることを特徴とする請求項２乃至請求項５のいずれかに記載の運転順位決定装置。
【請求項７】
コンピュータに、複数のエネルギ生成設備の運転順位を決定させるコンピュータプログラムにおいて、
コンピュータに、エネルギの需要量を求めさせる手順と、
コンピュータに、取得したエネルギの需要量、前記各エネルギ生成設備のエネルギの生成量及びエネルギ生成に伴い排出される排出物の排出量の関係に基づいてエネルギ生成設備の運転順位を決定させる手順と
を実行させることを特徴とするコンピュータプログラム。
【発明の詳細な説明】
【０００１】
【発明の属する技術分野】
本発明は、複数のエネルギ生成設備の運転順位を決定する運転順位決定方法、その方法を適用した運転順位決定装置及びその装置を実現するためのコンピュータプログラムに関し、特に地球温暖化防止推進大綱の実現のため制定された各法を鑑みてエネルギ生成設備の運転の優先順位を決定する運転順位決定方法、運転順位決定装置及びコンピュータプログラムに関する。
【０００２】
【従来の技術】
電力等のエネルギを供給する供給事業に対する競争原理の導入に伴い、複数のエネルギ供給者が生成するエネルギと複数のエネルギ需用者が消費するエネルギとの需給マッチングをとる様々なエネルギ需給マッチング方法が提案されている（例えば、特許文献１参照。）。
【０００３】
【特許文献１】
特開２００２−９９７７０号公報
【０００４】
【発明が解決しようとする課題】
２００２年３月に発表された地球温暖化防止推進大綱の実現のために、地球温暖化対策推進法及び省エネルギ法の改正、並びに電気事業者による新エネルギ等の利用に関する特別措置法（ＲＰＳ法）が制定された。
これにより電力等のエネルギ生成設備を管理する事業体においても、これらの各法に基づく二酸化炭素の排出規制及び排出した二酸化炭素の処分を考慮する必要が生じている。
しかしながら例えば特許文献１に記載された方法では、エネルギ供給者の選別及び供給量の割り当てに際し、エネルギ生成に伴い排出される二酸化炭素等の排出物についての考慮がなされていない。
【０００５】
本発明は斯かる事情に鑑みてなされたものであり、複数のエネルギ生成設備の運転順位を決定する場合に、エネルギ生成に伴い排出される二酸化炭素等の排出物の排出量、特に排出物の排出量に基づき算出される排出物を処分する費用を考慮してエネルギ生成設備の運転順位及びエネルギ生成量を決定することにより、地球温暖化防止推進大綱に基づく各法の施行下で効率的なエネルギ生成を行うことが可能であり、地球の温暖化防止を推進することが可能な運転順位決定方法、その方法を適用した運転順位決定装置及びその装置を実現するコンピュータプログラムの提供を目的とする。
【０００６】
【課題を解決するための手段】
第１発明に係る運転順位決定方法は、複数のエネルギ生成設備の運転順位を決定する運転順位決定装置を用いた運転順位決定方法において、前記運転順位決定装置は、エネルギの需要量を求め、予め記録している前記各エネルギ設備のエネルギの生成量及びエネルギの生成に伴い排出される排出物の排出量の関係を抽出し、求めたエネルギの需要量、並びに抽出したエネルギの生成量及び排出物の排出量の関係に基づいて前記エネルギ生成設備の運転順位を決定することを特徴とする。
【０００７】
第１発明に係る運転順位決定方法では、エネルギ生成に伴い排出される二酸化炭素等の排出物の排出量に基づいてエネルギ生成設備の運転順位を決定することにより、地球温暖化防止推進大綱に基づく各法の施行下で効率的なエネルギ生成を行うことが可能であり、地球の温暖化防止を推進することが可能である。
【０００８】
第２発明に係る運転順位決定装置は、複数のエネルギ生成設備の運転順位を決定する運転順位決定装置において、エネルギの需要量を求める手段と、予め記録している前記各エネルギ生成設備のエネルギの生成量及びエネルギの生成に伴い排出される排出物の排出量の関係を抽出する手段と、求めたエネルギの需要量、並びに抽出したエネルギの生成量及び排出物の排出量の関係に基づいて前記エネルギ生成設備の運転順位を決定する手段とを備えることを特徴とする。
【０００９】
第２発明に係る運転順位決定装置では、エネルギの需要量、エネルギの生成量及び排出物の排出量の関係に基づいてエネルギ生成設備の運転順位を決定することにより、排出物の排出を抑制し、地球環境を考慮したエネルギ生成を行うことが可能である。
【００１０】
第３発明に係る運転順位決定装置は、複数のエネルギ生成設備の運転順位を決定する運転順位決定装置において、エネルギの需要量を求める手段と、前記エネルギ生成設備について、求めた需要量のエネルギの生成に要する費用を算出する手段と、予め記録している前記エネルギ生成設備のエネルギの生成量及びエネルギの生成に伴い排出される排出物の排出量の関係を抽出する手段と、抽出したエネルギの生成量及び排出物の排出量の関係に基づいて、前記エネルギ生成設備の排出物の排出量を算出する手段と、算出した排出量の排出物の処分に要する費用を算出する手段と、算出したエネルギ生成に要する費用及び排出物の処分に要する費用の合計に基づいて前記エネルギ生成設備の運転順位を決定する手段とを備えることを特徴とする。
【００１１】
第３発明に係る運転順位決定装置では、エネルギ生成に要する費用及び排出物の処分に要する費用に基づいてエネルギ生成設備の運転順位を決定することにより、総合的なエネルギ生成費用を抑制することが可能である。
【００１２】
第４発明に係る運転順位決定装置は、第２発明又は第３発明において、求めたエネルギの需要量を超えずにエネルギを生成することが可能な前記エネルギ生成設備を選択する手段を更に備え、前記運転順位を決定する手段は、選択した前記エネルギ生成設備の運転順位を決定すべくなしてあることを特徴とする。
【００１３】
第４発明に係る運転順位決定装置では、エネルギの需要量を超えた量のエネルギの生成を防止することにより、例えば商用電力として購入する電力と発電した電力とを併用して用いる場合に、必要以上のエネルギの生成、即ち発電を行うことで、商用電力側へ電力を送出することを防止することが可能である。
【００１４】
第５発明に係る運転順位決定装置は、第２発明乃至第４発明のいずれかにおいて、前記運転順位を決定する手段は、運転順位と共に前記各エネルギ生成設備のエネルギ生成量を決定すべくなしてあることを特徴とする。
【００１５】
第５発明に係る運転順位決定装置では、運転順位だけでなくエネルギ生成量をも決定することにより、複数のエネルギ生成設備を効率的に運転することが可能である。
【００１６】
第６発明に係る運転順位決定装置は、第２発明乃至第５発明のいずれかにおいて、前記排出物は二酸化炭素であることを特徴とする。
【００１７】
第６発明に係る運転順位決定装置では、二酸化炭素に対して適用することにより、２００２年３月に発表された地球温暖化防止推進大綱の実現のために、改正された地球温暖化対策推進法及び省エネルギ法、並びに制定された電気事業者による新エネルギ等の利用に関する特別措置法（ＲＰＳ法）の施行下にて効率的なエネルギ生成を行うことが可能であり、地球の温暖化防止を推進することが可能である。
【００１８】
第７発明に係るコンピュータプログラムは、コンピュータに、複数のエネルギ生成設備の運転順位を決定させるコンピュータプログラムにおいて、コンピュータに、エネルギの需要量を求めさせる手順と、コンピュータに、取得したエネルギの需要量、前記各エネルギ生成設備のエネルギの生成量及びエネルギ生成に伴い排出される排出物の排出量の関係に基づいてエネルギ生成設備の運転順位を決定させる手順とを実行させることを特徴とする。
【００１９】
第７発明に係るコンピュータプログラムでは、サーバコンピュータ等のコンピュータにて実行することで、コンピュータが運転順位決定装置として作動することにより、エネルギの需要量、エネルギの生成量及び排出物の排出量の関係に基づいてエネルギ生成設備の運転順位を決定することにより、排出物の排出を抑制し、地球環境を考慮したエネルギ生成を行うことが可能である。
【００２０】
【発明の実施の形態】
以下、本発明をその実施の形態を示す図面に基づいて詳述する。
図１は本発明の運転順位決定装置を用いた電力システムを示すブロック図である。
図１中１は、サーバコンピュータを用いた本発明の運転順位決定装置であり、運転順位決定装置１は、店舗、病院、公共施設及び工場等の施設又は地域内に設置された発電機等の複数のエネルギ生成設備２、２、…の運転順位を決定している。
エネルギ生成設備２、２、…は、運転順位決定装置１が決定した運転順位に基づいて電力等のエネルギの生成を行い、生成した電力等のエネルギをエネルギ負荷３、３、…へ供給する。
エネルギ負荷３、３、…には、一般電気事業者である電力業者が管理する外部エネルギ生成設備４からも電力母線ＥＬを介してエネルギとして商用電力が供給されている。
即ちエネルギ負荷３、３、…にて消費されるエネルギの需要量は、エネルギ生成設備２、２、…から供給されるエネルギの総量と電力母線ＥＬを介して供給されるエネルギの総量との合計値である。
なお運転順位決定装置１では、エネルギ生成設備２、２、…にて生成されたエネルギが電力母線ＥＬ側へ送出されることを防止すべく、エネルギ生成設備２、２、…にて生成されるエネルギの総量が、エネルギ負荷３、３、…にて消費されるエネルギの総量を超えないように運転順位を決定し、運転すべきエネルギ生成設備２、２、…を決定しなければならない。
またエネルギ生成設備２、２…としては、風力及び太陽光等の自然エネルギを利用した風力発電設備及び太陽光発電設備と、下水の汚泥、食物廃棄物及び家畜の糞尿等の有機性廃棄物を嫌気性発酵させることにより発生させたメタン６０％及び二酸化炭素４０％程度の昇華ガスを燃料とするバイオマス発電設備と、都市ガスから取り出した水素及び空気中の酸素を反応させることで電力及び熱を取り出す燃料電池発電設備と、石油、石炭及び都市ガス等の化石燃料を用いた火力発電設備と等の様々な種類の設備が用いられる。
なお夫々の種類のエネルギ生成設備２、２、…を全て揃える必要はなく、また夫々の種類でエネルギ生成設備２、２、…は、一台であっても複数台であっても良い。
【００２１】
運転順位決定装置１は、本発明のコンピュータプログラムＰＧ及びデータ等の各種情報を記録したＣＤ−ＲＯＭ等の記録媒体ＲＥＣから各種情報を読み取るＣＤ−ＲＯＭドライブ等の補助記憶手段１２、補助記憶手段１２により読み取った各種情報を記録するハードディスク等の記録手段１３を備えている。
そして記録手段１３から本発明のコンピュータプログラムＰＧ及びデータ等の各種情報を読み取り、情報を一時的に記憶するＲＡＭ１４に記憶させてコンピュータプログラムＰＧに含まれる各種手順をＣＰＵ１１により実行することで、サーバコンピュータは、本発明の運転順位決定装置１として動作する。
また記録手段１３には、各エネルギ生成設備２、２、…のエネルギの生成量及びエネルギの生成に伴い排出される排出物の排出量の関係、並びに各エネルギ生成設備２、２、…の運転特性等の運転順位の決定に必要な各種情報が記録されている。
さらに運転順位決定装置１は、ＬＡＮ等の通信網ＮＷに接続する通信手段１５を備え、通信手段１５により、各エネルギ生成設備２にて生成されエネルギ負荷３、３、…へ供給されるエネルギを計測する供給電力計ＷＭ２，ＷＭ２、…、電力母線ＥＬを介して供給されるエネルギである商用電力を計測する商用電力計ＷＭ４及びエネルギ負荷３，３，…にて消費されるエネルギの需要量を計測する需要電力計ＷＭ３、ＷＭ３、…、並びに各エネルギ生成設備２、２、…に接続し、電力値及び制御信号等の各種情報を送受信する。
【００２２】
エネルギ生成設備２は、設備全体を制御する制御手段２１、運転により発電等のエネルギ生成を行うエネルギ生成手段２２、運転順位決定装置１と通信網ＮＷを介して通信する通信手段２３を備えており、通信手段２３にて運転順位決定装置１から制御信号を受信し、受信した制御信号に基づいてエネルギ生成手段２２を運転し、電力等のエネルギを生成する。
【００２３】
次に本発明の運転順位決定方法の考え方について説明する。
図２は本発明の運転順位決定方法にて用いられる各エネルギ生成設備２、２、…のエネルギ生成量とエネルギの生成に伴い排出される排出物の排出量との関係を示すグラフである。
図２に示すグラフでは、横軸にエネルギ生成量を出力としてキロワット（ｋＷ）等の単位で示し、縦軸に排出物として二酸化炭素の排出量をキロモル（ｋｍｏｌ）及びキログラム（ｋｇ）等の単位で示し、各エネルギ生成設備２、２、…におけるエネルギ生成量と排出物の排出量との関係を示している。
なお各エネルギ生成設備２、２、…として、石油火力発電設備、天然ガス火力発電設備、バイオマス発電設備、太陽光発電設備、風力発電設備及び燃料電池発電設備を例示している。
図２に示す様に太陽光発電設備及び風力発電設備では、エネルギ生成量が変化しても排出物である二酸化炭素の排出量は一定しているが、その他のエネルギ生成設備２、２、…では、エネルギ生成量の増加に伴い、二酸化炭素の排出量も増加している。
ただし二酸化炭素の排出量は、夫々の設備により異なっており、石油火力発電設備の二酸化炭素排出量が最も多く、次いで天然ガス火力発電設備、バイオマス発電設備、燃料電池発電設備の順となっている。
【００２４】
ところで２００２年３月に発表された地球温暖化防止推進大綱の実現のために、地球温暖化対策推進法、省エネルギ法及び電気事業者による新エネルギ等の利用に関する特別措置法（ＲＰＳ法）等の各法が施行され、このため二酸化炭素の排出が規制されるようになり、また排出された二酸化炭素を処分するための取引が必要となる。
そこで二酸化炭素の単位量当たりの処分に要する費用をαとし、二酸化炭素の排出量をエネルギ生成量の関数であるｆ（Ｇｉ）とすると、排出された二酸化炭素に対する処分費用を下記の式１で示すことができる。
【００２５】
α・ｆ（Ｇｉ）    ……式１
【００２６】
さらに複数のエネルギ生成設備２、２、…の運転により排出される二酸化炭素の総量に対する処分費用は下記の式２で表すことができる。
【００２７】
α・Σｆ（Ｇｉ）    ……式２
【００２８】
このように式１又は式２として算出される排出物の処分費用と、エネルギ生成、即ち発電に要する費用との合計を求めることにより、地球温暖化防止推進大綱に関する各法施行下でのエネルギ生成費用を求めることが可能となる。
【００２９】
次に本発明の運転順決定装置１の処理について説明する。
図３は本発明の運転順位決定装置１の処理を示すフローチャートである。
運転順位決定装置１は、ＲＡＭ１４に記憶させたコンピュータプログラムＰＧを実行するＣＰＵ１１の制御により、供給電力計ＷＭ２，ＷＭ２、…、商用電力計ＷＭ４及び需要電力計ＷＭ３、ＷＭ３、…にて計測された電力値を取得してエネルギの需要量を求める（ステップＳ１）。
なおエネルギ負荷３、３、…にて消費されるエネルギの需要量としては、商用電力計ＷＭ４にて計測された電力値又は需要電力計ＷＭ３、ＷＭ３、…から取得した電力値の合計が用いられる。
そして運転順位決定装置１は、ＲＡＭ１４に記憶させたコンピュータプログラムＰＧを実行するＣＰＵ１１の制御により、最も排出物の排出量が少ないエネルギ生成設備２として予め設定している太陽光発電設備及び風力発電設備を、最優先で運転するエネルギ生成設備２として運転順位を決定し（ステップＳ２）、決定した運転順位に基づき最優先で運転するエネルギ生成設備２、ここでは太陽光発電設備及び風力発電設備の運転を開始させる信号を、該当するエネルギ生成設備２へ送出する（ステップＳ３）。
なお太陽光発電設備及び風力発電設備は、自然状況及び各設備のエネルギ生成能力に応じ、過剰なエネルギの生成を行うと考えられる場合には必要に応じて運転を制限する。
【００３０】
さらに運転順位決定装置１は、ＲＡＭ１４に記憶させたコンピュータプログラムＰＧを実行するＣＰＵ１１の制御により、供給電力計ＷＭ２，ＷＭ２、…、商用電力計ＷＭ４及び需要電力計ＷＭ３、ＷＭ３、…にて計測された電力値を取得してエネルギの需要量を求める（ステップＳ４）。
エネルギ生成設備２の運転が開始された後に求めるエネルギの需要量は、エネルギ負荷３、３、…にて消費される電力の合計値ではなく、エネルギ負荷３、３、…にて消費される電力とエネルギ生成設備２、２、…にて生成し供給された電力との差により示される値となる。
従ってステップＳ４におけるエネルギの需要量は、需要電力計ＷＭ３、ＷＭ３、…にて計測された電力値の合計と供給電力計ＷＭ２，ＷＭ２、…にて計測された電力値の合計との差、又は商用電力計ＷＭ４にて計測された電力値となる。
なお運転を開始させたエネルギ生成設備２が太陽光発電設備及び風力発電設備等の自然エネルギを利用した設備でない場合、エネルギの生成量を計算等の方法により求めることが可能であるのでステップＳ４によるエネルギの需要量の取得は必ずしも必要ではない。
【００３１】
次に運転順位決定装置１では、ＲＡＭ１４に記憶させたコンピュータプログラムＰＧを実行するＣＰＵ１１の制御により、ステップＳ４にて求めたエネルギの需要量と予め記録手段１３に記録しているエネルギ生成設備２、２、…のエネルギ生成能力との関係より、求めたエネルギの需要量を超えずにエネルギを生成することが可能なエネルギ生成設備２、２、…を選択する（ステップＳ５）。
ステップＳ５における選択の具体例として、太陽光発電設備及び風力発電設備の次に優先順位の高いエネルギ生成設備２である燃料電池発電設備の運転の要否の決定が挙げられる。
即ち燃料電池発電設備は、その発電原理上、運転を開始すると定格のエネルギを生成することになり、需要に応じて発電量を制御することができないため、需要量が少ない場合には燃料電池発電設備を運転すると需要量を超えた発電を行い、商用電力側へ電力を送出してしまうので、需要量が多い場合には運転するエネルギ生成設備２として燃料電池発電設備を選択し、需要量が少ない場合には運転するエネルギ生成設備２から燃料電池発電設備を除外するのである。
【００３２】
そして運転順位決定装置１では、ＲＡＭ１４に記憶させたコンピュータプログラムＰＧを実行するＣＰＵ１１の制御により、ステップＳ５にて選択された各エネルギ生成設備２、２、…について、ステップＳ４にて求めた需要量のエネルギの生成に要する費用を算出する（ステップＳ６）。
さらに運転順位決定装置１では、ＲＡＭ１４に記憶させたコンピュータプログラムＰＧを実行するＣＰＵ１１の制御により、予め記録している各エネルギ生成設備２、２、…のエネルギの生成量及びエネルギの生成に伴い排出される排出物の排出量の関係を記録手段１３から抽出し（ステップＳ７）、抽出したエネルギの生成量及び排出物の排出量の関係に基づいて、エネルギ生成設備２、２、…の排出物の排出量を算出し（ステップＳ８）、算出した排出量の排出物の処分に要する費用を算出する（ステップＳ９）。
【００３３】
そして運転順位決定装置１では、ＲＡＭ１４に記憶させたコンピュータプログラムＰＧを実行するＣＰＵ１１の制御により、ステップＳ６にて算出したエネルギ生成に要する費用及びステップＳ９にて算出した排出物の処分に要する費用の合計に基づいて、エネルギ生成設備２、２、…の運転順位及びエネルギ生成設備２、２、…のエネルギ生成量を決定し（ステップＳ１０）、決定した運転順位及びエネルギ生成量に基づいてエネルギ生成設備２、２、…の運転を開始させる信号を、該当するエネルギ生成設備２、２、…へ送出する（ステップＳ１１）。
ステップＳ１０におけるエネルギ生成量の決定とは、複数のエネルギ生成設備２、２、…を運転させて必要な量のエネルギを生成する場合に、夫々のエネルギ生成設備２、２、…にて生成するエネルギの生成量を決定することをいう。
【００３４】
運転順位決定装置１におけるステップＳ４〜Ｓ１０にて示した処理は、以下の数式にて示すことができる。
【００３５】
Ｅ＞Ｅ１＋Ｅ２＋Ｅ３＋…＋Ｅｎ    ……式３
但し、Ｅ：エネルギ需要量
Ｅ１，Ｅ２，Ｅ３，…，Ｅｎ：エネルギ生成設備２、２、…のエネルギ生成量
【００３６】
式３において、例えばＥ１が燃料電池発電設備の定格のエネルギ生成量であり、Ｅ＜Ｅ１である場合、燃料電池発電設備であるエネルギ生成設備２は運転すべきエネルギ生成設備２としては選択されない。
【００３７】
ΣＣＯＳＴｉ  ＝ＣＯＳＴ１  ＋ＣＯＳＴ２  ＋ＣＯＳＴ３  ＋…＋ＣＯＳＴｎ        ……式４
但し、ΣＣＯＳＴｉ  ：エネルギの生成に要する費用の合計値
ＣＯＳＴ１，ＣＯＳＴ２，ＣＯＳＴ３，…，ＣＯＳＴｎ：エネルギ生成設備２、２、…のエネルギの生成に要する費用
【００３８】
α・Σｆ（Ｇｉ）＝α・ｆ（Ｇ１）＋α・ｆ（Ｇ２）＋α・ｆ（Ｇ３）＋…＋ｆ（Ｇｎ）……式５
但し、α・Σｆ（Ｇｉ）：排出物の処分に要する費用の合計値
α・ｆ（Ｇ１），α・ｆ（Ｇ２），α・ｆ（Ｇ３）：エネルギ生成設備２、２、…にて排出される排出物の処分に要する費用
【００３９】
ΣＣＯＳＴｉ  ＋α・Σｆ（Ｇｉ）    ……式６
【００４０】
ステップＳ１０では、式３に示す条件下で、式４及び式５の合計値である式６が最小となる運転順位及びエネルギ生成量を決定する処理を行う。
なおエネルギ生成量を決定せずに運転順位だけを決定し、決定された運転順位に従いエネルギ生成設備２、２、…の運転を開始するようにしても良い。
【００４１】
また上述したエネルギ生成設備２、２、…は、電力等の一次エネルギの生成時に発生する排熱を二次エネルギである熱エネルギとして利用するコージェネレーションシステムに適用することも可能である。
【００４２】
図４は本発明の運転順位決定方法にて用いられる各エネルギ生成設備２、２、…の一次エネルギ生成量と二次エネルギ生成量との関係を示すグラフである。
図４に示すグラフでは、横軸に電気エネルギである一次エネルギ生成量をキロワット（ｋＷ）及びジュール（Ｊ）等の単位で示し、縦軸に熱エネルギである二次エネルギ生成量をキロカロリー（ｋｃａｌ）及びジュール（Ｊ）等の単位で示し、各エネルギ設備２、２、…における一次エネルギ生成量と二次エネルギ生成量との関係を示している。
なお各エネルギ生成設備２、２、…として、石油火力発電設備、天然ガス火力発電設備、バイオマス発電設備、太陽光発電設備、風力発電設備及び燃料電池発電設備を例示している。
図４に示すように太陽光発電設備及び風力発電設備では、電気エネルギ生成量が変化しても殆ど発熱がないため、熱エネルギは一定しているが、その他のエネルギ生成設備２、２、…では、電気エネルギ生成量の増加に伴い、熱エネルギの生成量も増加している。
ただし熱エネルギの生成量は、夫々の設備により異なっており、天然ガス火力発電設備及び石油火力発電設備の熱エネルギ生成量が最も多く、次いでバイオマス発電設備、燃料電池発電設備の順となっている。
生成される熱エネルギについても各エネルギ負荷３、３、…にて消費されるエネルギとして用いることができる場合には、エネルギ生成設備２、２、…の運転順位及びエネルギ生成量の決定に当たり、熱エネルギの生成及び利用についても考慮されることは言うまでもない。
【００４３】
前記実施の形態では、排出物として二酸化炭素の処分費用を考慮する形態を示したが、本発明はこれに限らず、ＮＯｘ及びその他有害物質等の処分に要する処分費用を考慮するようにしても良い。
【００４４】
【発明の効果】
以上詳述した如く本発明に係る運転順位決定方法、運転順位決定装置及びコンピュータプログラムでは、各種発電設備等の複数のエネルギ生成設備による電力等のエネルギ生成に伴い排出される二酸化炭素等の排出物の排出量に基づいてエネルギ生成設備の運転順位を決定することにより、地球温暖化防止推進大綱に基づく各法の施行下で効率的なエネルギ生成を行うことが可能であり、地球の温暖化防止を推進することが可能である等、優れた効果を奏する。
【図面の簡単な説明】
【図１】本発明の運転順位決定装置を用いた電力システムを示すブロック図である。
【図２】本発明の運転順位決定方法にて用いられる各エネルギ生成設備のエネルギ生成量とエネルギの生成に伴い排出される排出物の排出量との関係を示すグラフである。
【図３】本発明の運転順位決定装置の処理を示すフローチャートである。
【図４】本発明の運転順位決定方法にて用いられる各エネルギ生成設備の一次エネルギ生成量と二次エネルギ生成量との関係を示すグラフである。
【符号の説明】
１  運転順位決定装置
２  エネルギ生成設備
３  エネルギ負荷
４  外部エネルギ生成設備
ＥＬ  電力母線
ＮＷ  通信網
ＰＧ  コンピュータプログラム
ＲＥＣ  記録媒体
【図１】
2004304888.tif 000003
【図２】
2004304888.tif 000004
【図３】
2004304888.tif 000005
【図４】
2004304888.tif 000006